(57)【特許請求の範囲】
【請求項１】
送出されたシート状物の先端を羽根の間に保持して回転する羽根車と、
前記羽根車によって保持された前記シート状物の後端側をガイドするガイド部材と、
前記羽根車の下方側において走行し、同羽根車から排出される前記シート状物を搬送するデリバリーコンベアとを備えたデリバリー装置において、
前記デリバリーコンベアの表面に近接させて、前記デリバリーコンベアの進行方向にほぼ平行に延びかつ前記羽根車から排出される前記シート状物の全体あるいは中間部が先に前記デリバリーコンベアに接触するべく前記シート状物の後端側を受けるシート受け部材を前記ガイド部材に設け、
前記シート受け部材を前記ガイド部材に対して前記デリバリーコンベアの進行方向に沿って移動可能に支持させ、前記デリバリーコンベアの進行方向に沿って位置調整可能に支持された可動ブラケットにより前記シート受け部材の前記羽根車に対する位置を調整可能としたことを特徴とするデリバリー装置。
【請求項２】
前記シート受け部材を前記デリバリーコンベアに対し退避可能とすべく前記ガイド部材を前記可動ブラケットに回動可能に支持したことを特徴とする請求項１に記載のデリバリー装置。
【発明の詳細な説明】
【０００１】
【発明の属する技術分野】
本発明は、巻紙輪転印刷機おける折機の排紙装置等のデリバリー装置に関する。
【０００２】
【従来の技術】
巻紙輪転印刷機には、印刷後、乾燥冷却されたウェブを所定の長さ毎に断裁したり、これを幅方向や長さ方向に折ったりする折機が備えられている。
【０００３】
図２は、この種折機の概要側面図であってこれを同図に基づいて説明すると、折機１は、図に矢印で示す方向に回転する折胴２、断裁胴３、及びくわえ胴４を備えており、図示しない印刷ユニットから折機１へ供給された印刷後のウェブ５は、折胴２と断裁胴３との間へ送り込まれる。
【０００４】
そして、前記ウェブ５は両胴２，３の間で所定の寸法に断裁され、針（図示せず）により折胴２に巻き付けられると、くわえ胴４のくわえ板（図示せず）がその中央部をくわえて折り畳みながらくわえ胴４に巻き付ける。
【０００５】
このようにして折られたウェブ５は上下に張架された排紙ベルト６，６に挟まれて移送され、羽根車７によって排紙コンベア８上へ排出されて所定の位置へ移送される。この結果符号９で示す二つ折り（平行折）の折丁が得られる。
【０００６】
また、排紙ベルト６，６による折丁の移送経路には、上下に運動するチョッパブレードを備えたチョッパ１０が設けられており、その下方には、羽根車７と同じ構造の羽根車１１が羽根車７と軸方向を直交させて軸架されている。
【０００７】
そして、符号１２で示すような四つ折り（チョッパ折）の折丁を得たい場合には、チョッパ１０を運転すると、排紙ベルト６，６で移送中の折丁９がチョッパ１０によって中央部から折られ、羽根車１１で排紙コンベア８上へ排出されて移送される。
【０００８】
このように、一台の折機で二種類の折丁９，１２の折紙を選択的に行うようになっている。尚、図中１３は羽根車７の下方に位置して固定的に設けられて羽根車７で運ばれてきた折丁９を下方の排紙コンベア８上へ導く当て（ストリッパー）である。
【０００９】
【発明が解決しようとする課題】
ところで、上述したような排紙装置においては通常、羽根車７，１１に入った折丁９，１２は、折丁先端がストリッパー１３に当たることにより、徐々に羽根車７，１１から出て行き、最終的に羽根車７，１１の下方を走行する排紙コンベア８上に水平に近い状態で落下する。
【００１０】
ところが、機械の緩動回転のような遅い回転数域では、図３に示すように、折丁１２が羽根車１１から出る前に折丁１２の尻側（後端側）が垂れ下がり、排紙コンベア８と接触してしまうため、折丁後端が丸まってしまい、折丁後端が丸まった状態で折丁進行方向（矢印方向）へ搬送されてしまうと、紙詰まりや排紙乱れが発生する等の問題点があった。尚、図３にはチョッパ１０下方の羽根車１１が示され、図中１４は折込みローラ、１５，１６はそれぞれ調整可能なガイドである。
【００１１】
本発明はこのような問題を解決するものであって、遅い回転数域でのシート状物の詰まり等を効果的に回避できるデリバリー装置を提供することを目的とする。
【００１２】
【課題を解決するための手段】
上述の目的を達成するための本発明のデリバリー装置は、
送出されたシート状物の先端を羽根の間に保持して回転する羽根車と、
前記羽根車によって保持された前記シート状物の後端側をガイドするガイド部材と、
前記羽根車の下方側において走行し、同羽根車から排出される前記シート状物を搬送するデリバリーコンベアとを備えたデリバリー装置において、
前記デリバリーコンベアの表面に近接させて、前記デリバリーコンベアの進行方向にほぼ平行に延びかつ前記羽根車から排出される前記シート状物の全体あるいは中間部が先に前記デリバリーコンベアに接触するべく前記シート状物の後端側を受けるシート受け部材を前記ガイド部材に設け、
前記シート受け部材を前記ガイド部材に対して前記デリバリーコンベアの進行方向に沿って移動可能に支持させ、前記デリバリーコンベアの進行方向に沿って位置調整可能に支持された可動ブラケットにより前記シート受け部材の前記羽根車に対する位置を調整可能としたことを特徴とする。
【００１３】
また、上記発明において、前記シート受け部材を前記デリバリーコンベアに対し退避可能とすべく前記ガイド部材を前記可動ブラケットに回動可能に支持したことを特徴とする。
【００１４】
【発明の実施の形態】
以下、本発明に係るデリバリー装置を実施例により図面を用いて詳細に説明する。
【００１５】
［実施例］
図１は本発明の一実施例を示す折機の排紙装置における羽根車部の側面図である。尚、この図において、図２及び図３と同一部材には同一符号を付して重複する説明は省略する。
【００１６】
図１に示すように、排紙（デリバリー）コンベア８の上方でかつ羽根車１１の側方に位置して設けられた調整可能なガイド１５及び１６のうち、下部のガイド１６は、折仕様（１回折，デルタ折，２回折等）や紙幅変更に応じて前記排紙コンベア８の進行方向に沿って移動可能で、かつ排紙コンベア８の直上から退避可能に支持されている。
【００１７】
即ち、前記ガイド１６は、Ｔ字状に形成されると共にその基端部が可動ブラケット２０の上端に枢支され、クランプレバー２１を緩めて操作レバー２２にて回動させることで、鎖線で示した位置に退避し得るようになっている。
【００１８】
一方、前記可動ブラケット２０の下部に案内ロッド２３とラック２４とが、各々の一端部が連結された状態で略水平に（前記排紙コンベア８の進行方向に沿って）貫通固定され、これらの他端側が折機フレーム側に固定された支持ブロック２５に移動可能に支持される。この支持ブロック２５には、前記ラック２４と噛み合うピニオン２６が設けられ、ベルト駆動によりモータ２７で回転されるようになっている。
【００１９】
従って、モータ２７が回転すると、ピニオン２６とラック２４とにより可動ブラケット２０が前記排紙コンベア８の進行方向に沿って移動し、同可動ブラケット２０と一体動する前記ガイド１６が折仕様や紙幅変更に応じた適正な位置に位置決めされる。
【００２０】
そして、前記ガイド１６の下端部に、羽根車１１から排出されるシート状物としての折丁１２の尻側（後端側）を受けるためのガイドプレート３０が、前記排紙コンベア８の進行方向へほぼ平行に延設される。
【００２１】
前記ガイドプレート３０は、ガイド１６の下端部に溶接されたＬ字ブラケット３１に、当該Ｌ字ブラケット３１に形成された図示しない長孔を介してボルト３２で締結され、前記排紙コンベア８の進行方向に沿って移動可能に支持されている。
【００２２】
このように構成されるため、機械の緩動回転のような遅い回転数域では、折丁先端のストリッパー１３への当接により、羽根車１１から徐々に出てきた折丁１２は、その尻側が垂れ下がろうとするが、本実施例では、ガイドプレート３０で受けられる。
【００２３】
これにより、折丁１２の後端側が排紙コンベア８と接触して丸まることが防止でき、折丁１２後端が丸まった状態で折丁進行方向（矢印方向）へ搬送されてしまうことによる紙詰まりや排紙乱れ等が回避される。即ち、折丁１２の全体あるいは中間部が先に排紙コンベア８に接触して排紙され、ずれ重ね等して円滑な排紙が行われる。
【００２４】
また、この際、ガイド１６に規制された状態にてガイドプレート３０で受けられるので、排紙コンベア８上に折丁１２がきちっと揃えられた状態で搬送される。また、このように円滑な排紙が行われるので、緩動回転から印刷回転までのガイド１５，１６類の調整が不要となる。
【００２５】
また、ガイドプレート３０は、単独で移動可能であるため、折仕様や紙質等に応じて張り出し量が微調整できる。
【００２６】
また、上記実施例では、シート状物として折丁に例をとって説明したが、折られていない紙でもよく、また材質としてはプラスチックシートや塩化ビニールシート等でも同様に実施可能であることはいうまでもない。
【００２７】
また、本発明は上記実施例に限定されず、本発明の要旨を逸脱しない範囲でガイドプレート３０をガイド１６と分離して配設する等各種変更が可能であることはいうまでもない。
【００２８】
【発明の効果】
請求項１の発明によれば、送出されたシート状物の先端を羽根の間に保持して回転する羽根車と、前記羽根車によって保持された前記シート状物の後端側をガイドするガイド部材と、前記羽根車の下方側において走行し、同羽根車から排出される前記シート状物を搬送するデリバリーコンベアとを備えたデリバリー装置において、前記デリバリーコンベアの表面に近接させて、前記デリバリーコンベアの進行方向にほぼ平行に延びかつ前記羽根車から排出される前記シート状物の全体あるいは中間部が先に前記デリバリーコンベアに接触するべく前記シート状物の後端側を受けるシート受け部材を前記ガイド部材に設け、前記シート受け部材を前記ガイド部材に対して前記デリバリーコンベアの進行方向に沿って移動可能に支持させ、前記デリバリーコンベアの進行方向に沿って位置調整可能に支持された可動ブラケットにより前記シート受け部材の前記羽根車に対する位置を調整可能としたので、例えば機械の緩動回転のような遅い回転数域では、所定時期に垂れ下がろうとするシート状物の後端側がシート受け部材で受けられ、シート状物の後端側がデリバリーコンベアと接触して丸まることが防止でき、シート状物後端が丸まった状態でシート状物進行方向へ搬送されることによるシート状物の詰まりや排紙乱れ等が回避される。また、シート受け部材は折仕様や紙質等に応じて張り出し量を調整できる。シート状物がガイド部材に規制された状態にてシート受け部材で受けられるので、デリバリーコンベア上にシート状物がきちっと揃えられた状態で搬送される。
【００２９】
請求項２の発明によれば、請求項１の発明において、前記シート受け部材を前記デリバリーコンベアに対し退避可能とすべく前記ガイド部材を前記可動ブラケットに回動可能に支持したので、更に可動ブラケットを退避することができる。
【図面の簡単な説明】
【図１】本発明の一実施例を示す折機の排紙装置における羽根車部の側面図である。
【図２】従来例に係る折機の全体側面図である。
【図３】同じくその不具合を示す羽根車部の側面図である。
【符号の説明】
８  排紙コンベア
１１  羽根車
１２  折丁
１３  ストリッパー
１５  ガイド
１６  ガイド
２０  可動ブラケット
２１  クランプレバー
２２  操作レバー
２３  案内ロッド
２４  ラック
２５  支持ブロック
２６  ピニオン
２７  モータ
３０  ガイドプレート
３１  Ｌ字ブラケット
３２  ボルト
【図１】
0004163793.tif 000002
【図２】
0004163793.tif 000003
【図３】
0004163793.tif 000004